(57)【要約】本発明は、道具のひずみ解放機構に関する。特に、本発明は、ポジティブ軸方向拘束要素およびポジティブ回転方向拘束要素を備えるプラズマアークトーチのためのひずみ解放機構に関する。１つの局面において、本発明は、ハウジングに対してリードを拘束するためのひずみ解放システムを特徴とする。このひずみ解放システムは、ハウジングに対するリードの軸方向移動を拘束するためのポジティブ軸方向拘束要素、およびハウジングに対するリードの回転移動を拘束するためのポジティブ回転方向拘束要素、を備える。このポジティブ軸方向拘束要素およびポジティブ回転方向拘束要素は、互いに間隔を空けた関係で配置される独立した要素である。
2004525770.tif 000002
【特許請求の範囲】
【請求項１】
ハウジングに対してリードを拘束するためのひずみ解放システムであって、該システムは、以下：
（ａ）該ハウジングに対する該リードの軸方向移動を拘束するための、ポジティブ軸方向拘束要素；および
（ｂ）該ハウジングに対する該リードの回転移動を拘束するための、ポジティブ回転方向拘束要素、
を備え、ここで、該ポジティブ軸方向拘束要素および該ポジティブ回転方向拘束要素は、互いに間隔を空けた関係で配置される独立した要素である、
システム。
【請求項２】
請求項１に記載のひずみ解放システムであって、前記ポジティブ軸方向拘束要素および前記ポジティブ回転方向拘束要素が、前記リードの長手軸に対して間隔を空けた関係で配置される、システム。
【請求項３】
請求項１に記載のひずみ解放システムであって、前記ポジティブ軸方向拘束要素および前記ポジティブ回転方向拘束要素の両方が、前記リードが前記ハウジングに接続された場合に、同時に係合するように構成される、システム。
【請求項４】
請求項１に記載のひずみ解放システムであって、前記ポジティブ軸方向拘束要素が、クイックディスコネクトコネクタを備える、システム。
【請求項５】
請求項４に記載のひずみ解放システムであって、前記ポジティブ軸方向拘束要素が、クイックディスコネクトコネクタレセプタクルをさらに備える、システム。
【請求項６】
請求項１に記載のひずみ解放システムであって、前記ポジティブ回転方向拘束要素が、前記リードに装着された成形ブーツを備える、システム。
【請求項７】
請求項６に記載のひずみ解放システムであって、前記ポジティブ回転方向拘束要素が、前記成形ブーツを受容するための、ハウジング中の嵌合レセプタクルをさらに備える、システム。
【請求項８】
請求項１に記載のひずみ解放システムであって、前記ポジティブ軸方向拘束要素が、クイックディスコネクトコネクタを備え、そして前記ポジティブ回転方向拘束要素が、前記リードに装着された成形ブーツを備える、システム。
【請求項９】
請求項１に記載のひずみ解放システムであって、前記リードが、流体ラインおよび少なくとも１つの電気コンダクタを備える、システム。
【請求項１０】
請求項９に記載のひずみ解放システムであって、前記少なくとも１つの電気コンダクタと前記ハウジング中の嵌合コネクタとを接続する電気接続をさらに備える、システム。
【請求項１１】
請求項９に記載のひずみ解放システムであって、前記流体ラインが、前記リードのほぼ中心に配置され、そして前記少なくとも１つの電気コンダクタが、該流体ラインから外側に放射線状に配置される、システム。
【請求項１２】
ワークピースを貫通または切断するためのプラズマアークトーチであって、該トーチは、以下：
トーチ本体；
電源；
該トーチ本体に接続した第一末端および第二末端を備える、リード；ならびに
該リードの該第二末端を該電源に連結するためのひずみ解放システム、
を備え、ここで、該ひずみ解放システムが、以下：
（ａ）該電源に対する該リードの軸方向の移動を拘束するための、ポジティブ軸方向拘束要素；および
（ｂ）該電源に対する該リードの回転移動を拘束するための、ポジティブ回転方向拘束要素、
を備え、ここで、該ポジティブ軸方向拘束要素および該ポジティブ回転方向拘束要素が、互いに間隔を空けた関係で配置される独立した要素である、
プラズマアークトーチ。
【請求項１３】
請求項１２に記載のトーチであって、前記ポジティブ軸方向拘束要素および前記ポジティブ回転方向拘束要素が、前記リードの長手軸に対して間隔を空けた関係で配置される、トーチ。
【請求項１４】
請求項１２に記載のトーチであって、前記ポジティブ軸方向拘束要素および前記ポジティブ回転方向拘束要素の両方が、前記リードが前記電源に接続された場合に、同時に係合するように構成される、トーチ。
【請求項１５】
請求項１２に記載のトーチであって、前記ポジティブ軸方向拘束要素が、クイックディスコネクトコネクタを備える、トーチ。
【請求項１６】
請求項１５に記載のトーチであって、前記ポジティブ軸方向拘束要素が、クイックディスコネクトコネクタレセプタクルをさらに備える、トーチ。
【請求項１７】
請求項１２に記載のトーチであって、前記ポジティブ回転方向拘束要素が、前記リードに装着された成形ブーツを備える、トーチ。
【請求項１８】
請求項１７に記載のトーチであって、前記ポジティブ回転方向拘束要素が、前記成形ブーツを受容するための、電源中の嵌合レセプタクルをさらに備える、トーチ。
【請求項１９】
請求項１２に記載のトーチであって、前記ポジティブ軸方向拘束要素が、クイックディスコネクトコネクタを備え、前記ポジティブ回転方向拘束要素が前記リードに取り付けられた成形ブーツを備える、トーチ。
【請求項２０】
請求項１２に記載のトーチであって、前記リードが、流体ラインおよび少なくとも１つの電気コンダクタを備える、トーチ。
【請求項２１】
請求項２０に記載のトーチであって、前記少なくとも１つの電気コンダクタを、電源の中の嵌合コネクタと接続する電気的接続をさらに備える、トーチ。
【請求項２２】
請求項２０に記載のトーチであって、前記流体ラインが、前記リードのほぼ中心に配置され、前記少なくとも１つの電気コンダクタが、該流体ラインから半径方向に外側に向かって配置されている、トーチ。
【請求項２３】
ハウジングに対してリードを拘束するための方法であって、該方法は、以下の工程：
（ａ）該ハウジングに対して該リードの軸方向の運動を拘束するためのポジティブ軸方向拘束要素を提供する工程；
（ｂ）該ハウジングに対して該リードの回転方向の運動を拘束するためのポジティブ回転方向拘束要素を提供し、ここで、該ポジティブ軸方向拘束要素および該ポジティブ回転方向拘束要素は、互いに間隔を空けた関係で配置される独立した要素である、工程、ならびに
（ｃ）該リードを該ハウジングに接続する工程、
を包含する、方法。
【請求項２４】
請求項２３に記載の方法であって、前記ポジティブ軸方向拘束要素および前記ポジティブ回転方向拘束要素は、前記リードの長手軸方向に対して間隔を空けた関係で配置される、方法。
【請求項２５】
請求項２３に記載の方法であって、前記ポジティブ軸方向拘束要素および前記ポジティブ回転方向拘束要素は、ともに、前記リードが前記ハウジングに接続されたときに同時に係合されるように構成される、方法。
【請求項２６】
請求項２３に記載の方法であって、前記ポジティブ軸方向拘束要素が、クイックディスコネクトコネクタを備える、方法。
【請求項２７】
請求項２６に記載の方法であって、前記ポジティブ軸方向要素が、クイックディスコネクトコネクタレセプタクルをさらに備える、方法。
【請求項２８】
請求項２３に記載の方法であって、前記ポジティブ回転方向拘束要素は、前記リードに取り付けられた成形ブーツを備える、方法。
【請求項２９】
請求項２８に記載の方法であって、前記ポジティブ回転方向拘束要素が、前記成形ブーツを受容するための、前記ハウジング中の嵌合レセプタクルをさらに備える、方法。
【請求項３０】
請求項２３に記載の方法であって、前記リードが、流体ラインおよび少なくとも１つの電気コンダクタを備える、方法。
【請求項３１】
請求項３０に記載の方法であって、前記流体ラインが、前記リードのほぼ中心に配置され、前記少なくとも１つの電気コンダクタが、該流体ラインから半径方向に外側に向かって配置されている、方法。
【請求項３２】
請求項３０に記載の方法であって、前記方法が、さらに以下の工程：
（ｄ）前記少なくとも１つの電気コンデンサを、前記ハウジング中の嵌合コネクタに接続する工程、を包含する、方法。
【請求項３３】
プラズマアークトーチのために電源に対してリードを拘束するための方法であって、該方法は、以下：
（ａ）該プラズマアークトーチのために、該電源に対して該リードの軸方向運動を拘束するためのポジティブ軸方向拘束要素、および該プラズマアークトーチのために該電源に対して該リードの回転方向運動を拘束するためのポジティブ回転方向拘束要素を提供する工程であって、ここで、該ポジティブ軸方向拘束要素および該ポジティブ回転方向拘束要素は、独立した要素である、工程；
（ｂ）該ポジティブ軸方向拘束要素および該ポジティブ回転方向拘束要素を、該リードの長手軸に沿って互いに間隔を空けた関係で配置する、工程；ならびに
（ｃ）該プラズマアークトーチのために、該リードを該電源に接続する、工程、
を包含する、方法。
【発明の詳細な説明】
【技術分野】
【０００１】
（発明の分野）
本発明は、道具のひずみ解放機構に関する。特に、本発明は、ポジティブ軸方向拘束要素およびポジティブ回転方向拘束要素を備えるプラズマアークトーチのためのひずみ解放機構に関する。
【背景技術】
【０００２】
（発明の背景）
プラズマアークトーチは、金属製材料の切断およびマーキングにおいて広く用いられる。一般に、プラズマトーチは、電極およびトーチ本体内に取り付けられた中央出口オリフィスを有するノズル、電気的接続、冷却およびアーク制御流体のための通路、上記電極とノズルとの間に形成されたプラズマチャンバにおける流体流れパターンを制御する渦巻きリング、ならびに電源を備える。トーチはプラズマアークを生成し、これは、高温および高運動量のガスのイオン化ジェットに圧縮される。トーチ中で用いられるガスは、非反応性（例えば、アルゴンもしくは窒素）、または反応性（例えば、酸素もしくは空気）であり得る。
【０００３】
操作においては、最初、パイロットアークが電極（カソード）とノズル（アノード）との間に生成される。パイロットアークの生成は、高周波、ＤＣ電源にカップルした高電圧シグナル、およびトーチ、または任意の種々の接触開始方法によってであり得る。
【０００４】
プラズマアークトーチの１つの公知の構成は、トーチを電源に接続し、トーチに電流およびガスを提供する１つ以上のリードを含む。電源へのリード（単数または複数）接続は、加工品を切断またはマークするための位置にプラズマアークトーチを配置するため操作されるとき、リード上に配置されるひずみを処理するために厳格でなければならない。携帯型システムの大部分のオペレーターは、プラズマアークトーチ、リードおよび電源を適正に用いるが、製造業者により意図されない目的のためにリードを用いるオペレーターも存在する（例えば、リード（単数または複数）を踏むこと、またはさらに電源を新たな位置に引きずるために引っ張ること）。
【０００５】
トーチを電源に接続するために用いられるリード（単数または複数）は、リードの中央に位置するガスホースおよびこのガスホースの周りに対称に配置された電気コンダクタおよび充填剤を有する単一の一体化リードであり得る。ジャケット材料が、ガスホース、電気コンダクタおよび充填剤の上に押出される。ひずみ解放機構がこのジャケットに取り付けられ得、このリードに付与される負荷を処理する。ジャケット、ガスホース、電気コンダクタおよび充填剤は、とげ型の金具上に一緒に係留される。ひずみ解放機構として作用するクランプが付与されて、上記ジャケットをつかみ、かつ保持し、リード部材の相対的な軸方向運動（またはねじれ）を防ぐ。リードを通るストレスは、このクランプにより吸収され、そして機械的接続を通じて電源のシャーシに移される。
【０００６】
リード部材の軸方向の動きまたはねじれを防ぐ、クランプを備えた一体化リードの１つの例は、Ｈｙｐｅｒｔｈｅｒｍ，Ｉｎｃ．により製造されるＰＭＸ９００／ＰＡＣ１２５プラズマアークトーチシステム中で用いられるリード中に見出される。このプラズマアークトーチシステムで用いられるリードは、ネジ混みクイックディスコネクトコネクタによって電源に接続されている。クイックディスコネクトコネクタは、トーチ取り外しを単純にするという点で有利であるが、製造するのが高価である。リード部材の軸方向の動き（またはねじれ）を防ぐためにクランプを備えた一体化リードの別の例は、Ｈｙｐｅｒｔｈｅｒｍ，Ｉｎｃ．により製造されるＰＭＸ９００／ＰＡＣ１２３プラズマアークトーチシステム中で用いられるリード中に見出され得る。このシステムでは、ストレスは、道具固定ナットを通じて電源のシャーシにより吸収される。道具固定ナットは、これは高価でないという点で有利であるが、道具固定ナットは道具の使用を必要とする。道具の使用は時間を浪費し得、そして道具は容易に置き忘れられる。
【０００７】
従って、本発明の目的は、リードをプラズマアークトーチ電源に接続するための、改良されかつ安価な軸方向および回転ひずみ解放機構を提供することである。
【発明の開示】
【課題を解決するための手段】
【０００８】
（発明の要旨）
１つの局面において、本発明は、ハウジングに対してリードを拘束するためのひずみ解放システムを特徴とする。このひずみ解放システムは、ハウジングに対するリードの軸方向移動を拘束するためのポジティブ軸方向拘束要素、およびハウジングに対するリードの回転移動を拘束するためのポジティブ回転方向拘束要素、を備える。このポジティブ軸方向拘束要素およびポジティブ回転方向拘束要素は、互いに間隔を空けた関係で配置される独立した要素である。１実施形態において、このポジティブ軸方向拘束要素は、クイックディスコネクトコネクタを備え、そしてこのポジティブ回転方向拘束要素は、リードに装着された成形ブーツを備える。
【０００９】
別の局面において、本発明は、ワークピースを貫通または切断するためのプラズマアークトーチを特徴とする。このプラズマアークトーチは、トーチ本体、電源、２つの末端を有するリードを備える。リードの第一末端は、トーチ本体に接続され、そしてリードの第二末端は、電源に連結するためのひずみ解放システムに接続される。このひずみ解放システムは、電源に対するリードの軸方向の移動を拘束するためのポジティブ軸方向拘束要素、および電源に対するリードの回転移動を拘束するためのポジティブ回転方向拘束要素を備える。このポジティブ軸方向拘束要素およびポジティブ回転方向拘束要素は、互いに間隔を空けた関係で配置される独立した要素である。
【００１０】
別の局面において、本発明は、ハウジングに対してリードを拘束するための方法を特徴とする。この方法は、以下の工程を包含する：ハウジングに対するリードの軸方向の運動を拘束するためのポジティブ軸方向拘束要素を提供する工程、およびハウジングに対するリードの回転方向の運動を拘束するためのポジティブ回転方向拘束を提供する工程、およびリードをハウジングに接続する工程。このポジティブ軸方向拘束要素およびポジティブ回転方向拘束要素は、互いに間隔を空けた関係で配置される独立した要素である。
【００１１】
なお別の局面において、本発明は、プラズマアークトーチ用の電源に対してリードを拘束するための方法を特徴とする。この方法は、以下の工程を包含する：電源に対するリードの軸方向の移動を拘束するためのポジティブ軸方向拘束要素を提供する工程、および電源に対するリードの回転移動を拘束するためのポジティブ回転方向拘束要素を提供する工程。このポジティブ軸方向拘束要素およびポジティブ回転方向拘束要素は、独立した要素である。この方法はまた、リードの長手軸方向に沿って互いに間隔を空けた関係で、このポジティブ軸方向拘束要素およびポジティブ回転方向拘束要素を配置する工程を包含する。さらに、この方法は、プラズマアークトーチ用の電源に対してリードを接続する工程を包含する。
【００１２】
（発明の詳細な説明）
図１は、リードをハウジングに接続するひずみ解放システムを図示する。このひずみ解放システム１０は、ハウジング１４に対するリード１２の軸方向運動および回転方向運動を防止する。このひずみ解放システム１０は、ハウジング１４に対するリード１２の軸方向運動を拘束するためのポジティブ軸方向拘束要素１６、およびハウジング１４に対するリード１２の回転方向運動を拘束するためのポジティブ回転方向拘束要素１８を備える。ポジティブ軸方向拘束要素１６およびポジティブ回転方向拘束要素１８は、互いに間隔を空けた関係で配置される独立した要素である。
【００１３】
一つの実施形態において、このポジティブ軸方向拘束要素１６は、リード１２に装着されたクイックディスコネクトコネクタ２２を備え得る。別の実施形態において、ポジティブ軸方向拘束要素１６は、クイックディスコネクトコネクタ２２およびハウジング１４内に配置されたクイックディスコネクトコネクタレセプタクル１７を備え得る。
【００１４】
一つの実施形態において、このポジティブ回転方向拘束要素１８は、リード１２に装着された成形ブーツ２４を備える得。別の実施形態において、このポジティブ回転方向拘束要素１８は、成形ブーツ２４およびハウジング１４内に形成された嵌合レセプタクル２８を備え得る。この成形ブーツ２４および嵌合レセプタクル２８は、成形ブーツ２４が嵌合レセプタクル２８内に挿入される場合、リード１２の回転を防止するように設計されている。この成形ブーツ２４および嵌合レセプタクル２８は、ハウジング１４に対するリード１２の回転を防止するために、抗−回転機能２５ａ，２５ｂ，２５ａ’、および２５ｂ’を有するように設計される。
【００１５】
ポジティブ軸方向拘束要素１６およびポジティブ回転方向拘束要素１８は、リード１２の長手軸方向２０に対して、間隔を空けた関係で配置される。さらに、このポジティブ軸方向拘束要素１６およびポジティブ回転方向拘束要素１８は、リード１２がハウジング１４に接続される場合、両方が同時に係合されるように構成され得る。
【００１６】
一般に、このひずみ解放システム１０は、種々のルーツにおいて有用であり得る。しかし、本明細書中に記載されるひずみ解放システムが、プラズマアークトーチシステムにおいて特に有用であることが見出された。
【００１７】
図２は、トーチシステムの任意の種々のモデルを表すプラズマアークトーチシステムを図示する。電源６０は、ある範囲（例えば、約２０〜４０アンペア）内の連続的可変電流出力を提供する。この範囲は、トーチシステム、ワークピースの厚みおよび所望の切断速度に依存して、より低いかまたはより高くあり得る。可変電源は、金属の所定の厚みのために切断速度において、幅広いバリエーションを可能にする。
【００１８】
手動切断のために構成されたトーチ本体６２は、リード１２によって電源６０に接続される。電源６０は、ハウジング１４によって取り囲まれる。リード１２は、ひずみ解放システム１５によって電源６０に接続される。リード１２は、ガス供給源（図示せず）からのプラズマガス、および電源６０からの電力を備えるトーチ本体６２を提供し、プラズマストリームを点火し、そして維持する。１つの実施形態において、空気がプラズマガスとして使用されるが、他のガスが、ステンレス鋼およびアルミニウムのような金属での切断品質を改善するために使用され得る。ワークピースリード６６は、電源６０によって発生する電流のために戻り経路を提供し、そして代表的に、クランプ６８によってワークピース（図示せず）に接続される。
【００１９】
図３は、トーチの任意の種々のモデルを表すプラズマアークトーチを、単純化された概略的形態で図示する。トーチは、本体７０を有し、この本体７０は、ほぼ円筒形であり、下端７４に出口オリフィス７２を備える。プラズマアーク７６（すなわち、イオン化ガスジェット）は、出口オリフィス７２を通過する。トーチは、移行式アークモードで、金属（例えば、軟鋼または他の導電性材料）を貫通し、そして切断するために使用される。軟鋼を切断する際に、トーチは、移行式プラズマアークを形成するためのプラズマガスとして、反応性ガス（例えば、酸素もしくは空気）または非反応性ガス（例えば、窒素もしくはアルゴン）を用いて作動する。
【００２０】
トーチ本体７０は、電極８９およびノズル７８を支持し、電極８９は、その下端に挿入物８８を有し、そしてノズル７８は、電極８９から間隔をあけて配置される。ノズル７８は、出口オリフィス７２を規定する中心オリフィスを有する。渦流リング（ｓｗｉｒｌ  ｒｉｎｇ）８０は、トーチ本体７０に取り付けられる。１つの実施形態において、渦流リング８０は、プラズマガスフローを渦巻かせ、このプラズマガスフローに接線方向速度成分を与える、１セットの半径方向オフセット（またはカントされた）ガス分配穴８２を有する。この渦巻きは、アークを圧縮し、そして挿入物上のアークの位置を安定化させる渦を作り出す。
【００２１】
操作において、プラズマガスは、ガス入り口チューブ８４およびガス分配穴８２を通って流れる。このガスは、プラズマチャンバ８６内に、そして出口オリフィス７２を通ってトーチの外に流れる。パイロットアーク（出口オリフィスを通るガスをイオン化する）は、電極８８とノズル７８との間で最初に生成される。次いで、アークは、ノズルからワークピース９０に移動する。トーチ本体の特定の構成の詳細（ガスを方向付ける部品、流体フローを冷却する部品ならびに電気的接続を提供する部品の配置を含む）は、幅広い種々の形式を取り得ることが注記される。
【００２２】
トローチヘッド７４またはリード１２を修復または置換する場合、トーチと電源との間で接続されるリードは、電源から切断され得ることが重要である。さらに、操作者は、しばしば、システムの保存または移動の間、便利さのため、トーチを電源から切断することを望む。
【００２３】
図４は、トーチ本体６２に電流およびガスを供給するために使用されるリード１２の断面（図２の断面Ａ−Ａ）を図示する。リード１２は、電源６０からトーチ本体６２への電流の送達のためのワイヤ３０を有する。さらに、ホース３２は、ガスを電源からトーチ本体に送達する。１つの実施形態において、ホース３２は、リード１２内で中心に配置される。別の実施形態において、ホース３２は、リード１２の中心に配置されない。なお別の実施形態において、リード１２内に１つより多くのホース３２が存在し得る。ワイヤ３０およびホース３２がジャケット３４の内側に配置される。充填剤３６が、ジャケット３４の内側の残りの空間に配置されて、支持を提供し、そして空の空間を充填する。
【００２４】
図５は、リード１２および成形ブーツを図示する。このリード１２はまた、クイックディスコネクトコネクタ２２を備える。このクイックディスコネクトコネクタ２２は、クイックディスコネクトコネクタレセプタクル１７に接続され得、一つの実施形態において、このクイックディスコネクトコネクタレセプタクル１７は、電源６０のハウジング１４（図１）内に固定される。このクイックディスコネクトコネクタはまた、ガスまたは流体が、電源６０からトーチ本体６２にリード１２を介して移動させるためのガスフィッティングとして機能する。ワイヤ３０は、電源６０の電気コネクタを用いてワイヤ３０に接続するために、穴３８を通って延び得る（図６）。
【００２５】
図６は、電源６０に接続されたリード１２の部分を図示する。このリード１２は、長手軸２０を有する。このリードは、ジャケット３４上に成形された、成形ブーツ２４をさらに備える。この嵌合レセプタクル２８および成形ブーツ２４は、両方が適合して成形されて、成形ブーツ２４を嵌合レセプタクル２８内に固定して係合させ、そして抗−回転機構２５ａ、２５ｂ、２５ａ’および２５ｂ’によりハウジング１４に対するリード１２の回転を防止する。
【００２６】
図６に示されるように、リード１２は、電源６０のハウジング１４内に配置されるクイックディスコネクトコネクタレセプタクル１７に接続される。図７は、リード１２の長手軸２０に対して垂直にとられた断面（図６の断面Ｂ−Ｂ）であり、そしてクイックディスコネクトコネクタレセプタクル１７へのリード１２の接続を例示する。示される実施形態は、クイックディスコネクトコネクタレセプタクル１７を使用し、このレセプタクルは、クイックディスコネクトレセプタクル２２に係合する。クイックディスコネクトコネクタ２２はまた、ガスフィッティングとして作動し、ガスまたは流体を、リード１２を用いて電源からトーチ本体６２に供給し得る。上記は、単に代表的な実施形態であり、他の構成も、本発明の範囲内において可能である。
【００２７】
（等価物）
本発明は、特に、好ましい特定の実施形態を参照して示され、そして記載されるが、形態および細部の種々の変更が、添付の特許請求の範囲によって規定される本発明の精神および範囲から逸脱することなく、本発明においてなされ得ることが、当業者に理解されるべきである。
【図面の簡単な説明】
【００２８】
【図１】図１は、ハウジングにリードを接続するために使用されるひずみ解放システムのダイヤフラムである。
【図２】図２は、金属ワークピースを切断または貫通するために使用される、プラズマアークトーチ電源、リード、およびトーチ本体のダイヤフラムである。
【図３】図３は、従来のプラズマアークトーチの概略的な断面図である。
【図４】図４は、図２のリードの断面図である。
【図５】図５は、リード、成形ブーツ、およびクイックディスコネクトコネクタのダイヤフラムである。
【図６】図６は、プラズマアークトーチ電源に装着されたリードのダイヤフラムである。
【図７】図７は、図６のプラズマアークトーチ電源に接続されたリードの長手軸に沿った断面図である。
【国際公開パンフレット】
2004525770.tif 000003
2004525770.tif 000004
2004525770.tif 000005
2004525770.tif 000006
2004525770.tif 000007
2004525770.tif 000008
2004525770.tif 000009
2004525770.tif 000010
2004525770.tif 000011
2004525770.tif 000012
2004525770.tif 000013
2004525770.tif 000014
2004525770.tif 000015
2004525770.tif 000016
2004525770.tif 000017
2004525770.tif 000018
2004525770.tif 000019
2004525770.tif 000020
2004525770.tif 000021
【国際公開パンフレット（コレクトバージョン）】
2004525770.tif 000022
2004525770.tif 000023
【国際調査報告】
2004525770.tif 000024
2004525770.tif 000025
2004525770.tif 000026